(57)【特許請求の範囲】
【請求項１】
投光器本体内にレンズ及び光源を配置し、該光源からの光を、前記レンズを介して被照射体に照射し、該被照射体を通行人等が視認し得るようにした投光器において、
前記投光器本体の筒状の灯体部の前部側に、前面ガラスを備えた筒状の前カバーを取り外し可能に組み付け、前記灯体部の後部側に光源及び反射鏡を備えた筒状の後カバーを開閉可能に組み付け、前記投光器本体内の軸線上の略中間部に、内部に複数の反射板を有し、入口より導き入れた光を反射させながら出口に到達させるインテグレータを配置し、該インテグレータの前部に前記被照射体に照射される光の照射範囲を制御する、前記投光器本体後部より操作可能なマスク部材を備えたマスク手段を設け、前記投光器本体に形成した凹部に安定器ボックスを配置し、
前記マスク手段は、前記灯体部に取り付けられたリングパネルと、該リングパネルに固定される、中央部に光孔を有し、該光孔の周囲にマスク部材操作用の窓を備えた中間プレートと、該中間プレートの一側に配設され、前記マスク部材操作用の窓に夫々対応して配設されたマスク部材と、該マスク部材を移動可能に押さえる押え板と、前記中間プレートの他側に配設され、前記押え板と共に、前記中間プレート及びマスク部材を挟持する保持板とから構成され、
前記マスク部材の一辺にマスク部材操作用の取手を互い違いに反対方向に折曲させて設けると共に、該取手の一方を中間プレートの前記マスク部材操作用の窓に嵌合させたことを特徴とする投光器。
【請求項２】
前記灯体部の前部側にリングパネルを固着し、該リングパネルの一側に、中央部に光孔を設けた中間プレートを取り付け、該中間プレートの前記光孔にインテグレータの先端部を固定すると共に、前記中間プレートと前記リングパネルとの間に焦点調整スペーサを取り外し可能に介装させたことを特徴とする請求項１記載の投光器。
【発明の詳細な説明】
【０００１】
【発明の属する技術分野】
本発明は被照射体、例えば、標識板、表示板、案内掲示板、広告板を照射する投光器に関するものである。
【０００２】
【従来の技術】
道路や建物等には、通行人（歩行者）、車両の運転者や搭乗者及び、その他の観察者が知りたい、また、必要とする各種情報を文字、記号、図形等で表示した標識板や表示板が設置されている。これら表示板や標識板に記載されている情報は、昼夜を問わず、通行人等によって視認され、かつ、正確に伝達される必要がある。すなわち、標識板等に表示されている各種の情報は通行人等により、常時、正確に判読されなければならない。このため夜間においても昼間と同様に視認できるように、標識板や表示板の近傍に、標識板等を専用に照射する投光器が設置されている。
【０００３】
上記投光器を図１４乃至図１６に基づいて説明する。図１４は上記標識板や表示板等を専用に照射する、従来の投光器１の断面図を示し、図１５はその左側面図、図１６はその右側面図を夫々示している。図１４において、符号Ｆ及びＲで示すものは、投光器１の前部側及び後部側である。
【０００４】
この投光器１の投光器本体２は、中央部に配置される円筒状の灯体部３と、この灯体部３の前部側に組み付けられる円筒状の前カバー４(図１５)と、後部側に組み付けられる円筒状の後カバー５(図１６)とから概略形成されている。前カバー４の前部側の先端部には前面ガラス６が取り付けられている。
【０００５】
また、後カバー５の内側には光源（例えば、２５０Ｗメタルハライドランプを横方向にして取り付けている）７と、二種類の反射鏡、すなわち楕円面反射鏡８及び球面反射鏡９が設けられている。また、灯体部３及び後カバー５は蝶番１０により連結されており、後カバー５は灯体部３に対して開閉自在となっている。また、後カバー５を閉じた場合は、開かないように施錠できるようになっている。
【０００６】
そして、灯体部３の前部及び前カバー４の後部には、両者を組み合わせて固定する錠が間隔を空けて円周方向に３個取り付けられている。また、灯体部３の前部側の端面には、図１７及び図１８に示すような、リングパネル１１が固着されている。リングパネル１１の前部側には、中央部位（光源の軸線上）に角形状の光孔１２（図１８）が形成された角形状の中間プレート１３がその四隅をネジ手段１４よって固定されている(図１４参照)。
【０００７】
さらに、中間プレート１３の前部側の、光孔１２の周囲四個所には略Ｌ字形のマスク部材１５，１６が配設されている。すなわち、光孔１２の上下には二個のマスク部材１５が、光孔１２の左右には二個のマスク部材１６が夫々配設されている。各マスク部材１５，１６の一辺は、折曲されて、マスク部材１５，１６を移動操作させる際の取手１５Ａ，１６Ａに形成されている。取手１５Ａ、１６Ａは全て投光器１の前部方向に折曲されている。
【０００８】
上下に配設されているマスク部材１５の左右辺側には、マスク部材１５の上下方向の移動（矢印参照）をガイドする長方形のガイド板１７が左右に二個設けられている（図１８）。また、左右に配設されているマスク部材１６の上下辺側には、マスク部材１６の左右方向の移動（矢印参照）をガイドする長方形のガイド板１８が上下に二個設けられている。
【０００９】
上記マスク部材１５，１６及びガイド板１７，１８は、中間プレート１３と、中心部に四角形の光孔１９を設けた角形の押圧板２０とによって挟持され、マスク部材１５，１６の移動許容範囲で、押圧板２０と、ガイド板１７，１８と、中間プレート１３とはネジ手段１４により一体に固定されている（図１７）。また、図１９に示すように、中間プレート１３の後カバー５側に配置した、中心部に光孔２１を有する角形の保持板２２は、スペーサ２３を介して中間プレート１３にネジ手段１４Ａにより固定されている。
【００１０】
上記マスク部材１５，１６は、マスク部材１５，１６の前部に配置したフレネルレンズ２４から照射された光が実質的に被照射体だけを照射するように、光源７からフレネルレンズ２４に照射される光を被照射体の形状に合せて限定させるものである。すなわち、中間プレート１３に配置した四方向のマスク部材１５，１６を適宜移動させることによって中間プレート１３の光孔１２の前にマスク部材１５，１６による有効開口部を形成し、この有効開口部を光源７からの光が通過することによって被照射体だけが照射されることになる。
【００１１】
また、図１４及び図１９に示すように、中間プレート１３の光孔１２には角形状のインテグレータ２５の前部（光の出口）側が嵌合、固着されている。インテグレータ２５はリングパネル１１及び保持板２２を挿通して灯体部３の内部を後部側に延設されている。インテグレータ２５の内部には、複数の反射板が配置されており、インテグレータ２５の入口に導き入れた、光源７からの光を反射させながら出口に到達させ、光の強弱の差が少ない、均斉度の高い光にする。
【００１２】
図１４に示すように、灯体部３の前部側に固着されたリングパネル１１の上下左右四個所には、９０度間隔で前カバー４内の前部側に延びるシャフト２６が四本突設されている。このシャフト２６の先端部にフレネルレンズ２４が取り付けられている。
【００１３】
上記投光器１の投光器本体２は、図１５及び図１６に示すように、支持腕２７によって支持されている。すなわち、投光器本体２は、ボルト２８及びナット２９により支持腕２７に回動可能に取り付けられている。これにより投光器１のフレネルレンズ２４の向きを上下方向に回動させて調整することができる。
【００１４】
図２０に示すものは、投光器１を点灯する際、投光器１とは別体に設ける安定器ボックス３０である。この安定器ボックス３０は二灯用のものなので、ボックス３０の内部には安定器３１が二個配置されている。なお、符号３２は端子台、符号３３はノーヒューズブレーカ、符号３４はサーキットブレーカ、符号３５はボックスコネクタを示している。この安定器ボックス３０は高さが略１ｍ、幅が略０．５ｍ、奥行きが略０．２ｍ位のものであり、四灯、五灯と投光器１が増えた場合は、柱を立設させ、投光器１とは別体で取り付けている。
【００１５】
この構造の投光器１で被照射体を照射する場合、投光器１の光源７を点灯し、その光を楕円面反射鏡８によって集束させて、インテグレータ２５の内部に導き入れる。すなわち、楕円面反射鏡８の一つの焦点を光源７の中心におき、もう一つの焦点をインテグレータ２５の、光の入口におくことにより、光源７の光を正確にインテグレータ２５の内部に送りこむことができる。また、楕円面反射鏡８に入力されない光は、球面反射鏡９によって光源７の中心近傍に戻し、再度、楕円面反射鏡８に入れることにより、光源７の光を効果的にインテグレータ２５に入れることができる。
【００１６】
インテグレータ２５の入口より内部に到達した光は、複数回の反射を繰り返してインテグレータ２５の出口に到達する。このインテグレータ２５の出口からでる光をマスク部材１５，１６で形成した有効開口部を通してフレネルレンズ２４に入射させ、フレネルレンズ２４からの光で被照射体を照射する。
【００１７】
照射時、フレネルレンズ２４で照射した光が被照射体全体に当っていない場合や、光が被照射体の形状を越えて広がっているような場合は、マスク部材１５，１６を動かして調整する。調整を行なう場合は、夜間、投光器１の灯体部３と前カバー４とを連結している錠を外し、前カバー４をシャフト２６に沿って灯体部３の前方側にずらして、マスク部材１５，１６の前部近傍に空間部を形成し、この空間より手を差し込んでマスク部材１５，１６の取手１５Ａ，１６Ａを適宜把持して、マスク部材１５，１６を操作する。このとき、光源７を実際に点灯させ、光が実質的に被照射体だけに当るように被照射体を目視しながら、マスク部材１５，１６の調整を行っている。
【００１８】
【発明が解決しようとする課題】
以上説明した従来技術においては、光が実質的に被照射体だけを照射するように、マスク部材を移動操作してマスク部材による有効開口部の大きさを調整しているが、調整する場合、夜間になるのを待って、実際に光源を点灯させ、被照射体を見ながら調整を行っていたので、作業が煩雑になる問題があった。さらに、投光器が高い位置に設置された場合においては、メンテナンス作業に支障をきたす虞があった。
また、投光器を設置する際、投光器を設置した近傍（投光器と同じ柱上に）に安定器ボックスを配置する必要があり、このため作業がさらに煩雑であった。さらに、四灯以上の投光器が設置されるような場合は、投光器とは別に安定器ボックス用の柱を立ち上げ、この柱に安定器ボックスを取り付ける作業が付随するため、設置作業がさらに煩雑になる問題があった。
【００１９】
なお、投光器として、被照射体の全体を均一に照射することができるもの（特開平８−１８５７０２号）、観察者等により広告掲示板を容易に認識されるようにしたもの（特表平１０−５０６７２１号）があるが、本発明のようにマスク部材の調整を投光器の後部側からできるようにしたものではないので、本発明の課題は解決できない。
【００２０】
本発明は、この点に鑑みてなされたものであり、投光器のマスク部材を投光器本体の後部側からでも調整できるようにすると共に、日中、しかも光源を点灯しなくても、光が実質的に被照射体だけを照射できるように調整することができ、さらに、安定器ボックスを小型に形成して投光器本体に組み込むようにして、取付作業、調整作業及びメンテナンス等の煩雑さを回避させた投光器を提供することを目的とする。
【００２１】
【課題を解決するための手段】
本発明は、上記課題を解決するための手段として、請求項１に記載された発明は、投光器本体内にレンズ及び光源を配置し、該光源からの光を、前記レンズを介して被照射体に照射し、該被照射体を通行人等が視認し得るようにした投光器において、前記投光器本体の筒状の灯体部の前部側に、前面ガラスを備えた筒状の前カバーを取り外し可能に組み付け、前記灯体部の後部側に光源及び反射鏡を備えた筒状の後カバーを開閉可能に組み付け、前記投光器本体内の軸線上の略中間部に、内部に複数の反射板を有し、入口より導き入れた光を反射させながら出口に到達させるインテグレータを配置し、該インテグレータの前部に前記被照射体に照射される光の照射範囲を制御する、前記投光器本体後部より操作可能なマスク部材を備えたマスク手段を設け、前記投光器本体に形成した凹部に安定器ボックスを配置したことを特徴とするものである。
【００２２】
また、前記マスク手段は、前記灯体部に取り付けられたリングパネルと、該リングパネルに固定される、中央部に光孔を有し、該光孔の周囲にマスク部材操作用の窓を備えた中間プレートと、該中間プレートの一側に配設され、前記マスク部材操作用の窓に夫々対応して配設されたマスク部材と、該マスク部材を移動可能に押さえる押え板と、前記中間プレートの他側に配設され、前記押え板と共に、前記中間プレート及びマスク部材を挟持する保持板とから構成されており、前記マスク部材の一辺にマスク部材操作用の取手を互い違いに反対方向に折曲させて設けると共に、該取手の一方を中間プレートの前記マスク部材操作用の窓に嵌合させたことを特徴とするものである。
【００２３】
請求項１に記載の発明では、灯体部の後部側に開閉可能の後カバーを組み付け、さらに、投光器本体の内部に設けた中間プレートにマスク部材操作用の窓を設け、投光器の後部側（中間プレートの後部側）からマスク部材操作用の窓を介して、中間プレートの前部側に設けたマスク部材を操作する。さらに、被照射体をインテグレータの後部側から視認することができるため、昼間、光源を点灯することなく、インテグレータの軸線上に結ぶ被照射体を見ながらマスク部材を操作調整して、マスク部材による光の照射範囲の有効開口部を形成させる。
マスク手段のマスク部材を操作することによって形成される開口部が、被照射体の照射範囲の形状と相似の関係にあるので、その照射範囲から外れることなく、ほとんどの光を照射範囲内全域に余すことなく照射させることができ、また、インテグレータを使用していることにより光を均一にすることができる。すなわち、マスク部材の有効開口部を通して視認することができる像が、光源を点灯した際、実際、光で照射される照射範囲となるので、日中、光源を点灯しなくても調整作業を行なうことが可能となる。
【００２５】
マスク部材の一辺に設けるマスク部材操作用の取手を互い違いに反対方向に折曲させ、この取手の一部を中間プレートに設けたマスク部材操作用の窓に嵌合させて、マスク部材を投光器の後部から操作させるようにする。
【００２６】
請求項２に記載された発明は、請求項１に記載されたものにおいて、前記灯体部の前部側にリングパネルを固着し、該リングパネルの一側に、中央部に光孔を設けた中間プレートを取り付け、該中間プレートの前記光孔にインテグレータの先端部を固定すると共に、前記中間プレートと前記リングパネルとの間に焦点調整スペーサを取り外し可能に介装させたことを特徴とするものである。
【００２７】
請求項２に記載された発明では、リングプレートと中間プレートとの間に焦点調整スペーサを介装させて、中間プレートと一体のインテグレータを軸線上に移動させ、インテグレータの焦点を調整する。
【００２８】
【発明の実施の形態】
以下、本発明の実施の形態を、要部を模式的に示した図１及び図２に基づいて説明する。なお、従来技術を示す図１４乃至図２０と同一の部分には同一の符号を付す。図１に示すものは、本発明に係る投光器５１の断面図である。この投光器５１の投光器本体５２は、中央部に位置する円筒状の灯体部５３と、この灯体部５３の前部側に組み付けられる、前面ガラス６を備えた筒状の前カバー５４と、灯体部５３の後部側に組み付けられる、内側に光源（例えば、１５０Ｗのメタルハライドランプを使用し、これを投光器本体５２の前後方向に沿うように取り付けている）７及び二種類の反射鏡、すなわち楕円面反射鏡８及び球面反射鏡９を備えた円筒状の後カバー５５とから概略構成されている。
【００２９】
投光器５１は、投光器本体５２の肉厚を薄くして軽量にできるため、また、投光器５１を海岸の近くに設置する可能性をも考えて、例えば、ステンレス鋼により製作されている。なお、図１において、符号Ｆは投光器５１の前部側を示し、符号Ｒは後部側を夫々示している。
【００３０】
後カバー５５内に設けられた反射鏡の内、楕円面反射鏡８は光源７の後方部位に配置されており、球面反射鏡９は光源７の前方部位に配置されている。これらの反射鏡８，９は共に反射面の外周縁のフランジを複数本のボルト５６により後カバー５５に取り付け、ナット５７により固定されている。符号５８はボルト５６が挿通しているカラーを示す。
【００３１】
灯体部５３の後部側の端面には、筒体５９とリングパネル１１とからなる灯体フレーム６０が嵌合、溶着されている。筒体５９は筒状に形成されたものであり、リングパネル１１は正面視、帯状のものである（図３及び図４）。このリングパネル１１を筒体５９の一端面に溶着することによって灯体フレーム６０が形成されている。灯体フレーム６０のリングパネル１１の最外周縁は灯体部５３の外周部より突出してフランジ６１となっている。
【００３２】
一方、後カバー５５の開口周縁の外側には、拡径した膨出部６２が形成されており、膨出部６２の内周にはパッキング６３が装着されている。この膨出部６２をリングパネル１１のフランジ６１に係合させて位置決めし、灯体部５３と後カバー５５とに設けた錠 (図示なし)を係合させることによって両者は施錠状態となる。なお、後カバー５５と灯体部５３とは蝶番１０によって連結されているため、上記の錠を解除すれば、後カバー５５を灯体部５３に対して回動させて開閉することができる。
【００３３】
また、灯体部５３の前部側の端面にも、筒体５９と、リングパネル１１（図３及び図４参照）とからなる灯体フレーム６０が嵌合、溶着されている。この灯体フレーム６０のリングパネル１１の最外周縁も灯体部５３の外周よりも突出してフランジ６１となっている。
【００３４】
一方、前カバー５４の後部側の開口周縁の外側にも、後カバー５５と同様に内部にパッキング６３を備えた膨出部６２が設けられている。この膨出部６２の部位と、灯体部５３の外周部とには錠６４が間隔を空けて円周方向に三個取り付けられている。したがって、膨出部６２をリングパネル１１のフランジ６１に掛合させて位置決めし、錠６４を係合させれば、灯体部５３と前カバー５４も堅固に施錠され固定される。
【００３５】
また、灯体部５３の前部側に設けたリングパネル１１の前部側には、図３及び図４に示すような、略四角形の中間プレート６５が配設され、蝶ボルト６６及び蝶ナット６７（図１及び図２）により固定されている。中間プレート６５の中央部位（光源の軸線上）には、図４に示すように、光が通過する四角形の光孔６８が設けられている。さらに、中間プレート６５の、光孔６８の周囲四個所（上下左右）にも、四角形の開口部６９が９０度おきに形成されている。これらの開口部６９は、後述するマスク部材７０，７１を操作するマスク操作用窓になる。
【００３６】
この中間プレート６５の中央の光孔６８及び、その周囲の四個所の開口部６９に対応して、中間プレート６５には四枚のマスク部材が配設されている。すなわち、中間プレート６５の上下に二枚のマスク部材７０が配設され、左右に二枚のマスク部材７１が配設されている。上下のマスク部材７０の左右側にはマスク部材７０の上下方向の移動（図４の矢印参照）をガイドするガイド板１７が設けられている。さらに、左右のマスク部材７１の上下側にもマスク部材７１の左右方向の移動（図４の矢印参照）をガイドするガイド板１８が設けられている。
【００３７】
上記マスク部材７０，７１及びガイド板１７、１８は、中間プレート６５と、中心部に四角形の光孔１９を設けた角形の押圧板２０とによって挟持されると共に、押圧板２０と、ガイド板１７、１８と、中間プレート６５と、中間プレート６５の後部に配置された、スペーサ２３と、中心部に四角形の光孔２１を設けた角形の保持板２２（図５）とは締付蝶ナット７２及び締付ノブ７３によって締め付けられて一体に固定されている。
【００３８】
また、マスク部材７０，７１の一辺には、マスク部材７０，７１を上下方向、左右方向に移動させる際に把持するマスク部材操作用の取手７０Ａ，７１Ａが設けられている。この取手７０Ａ，７１Ａはその向きが互い違いに反対方向になるように、略Ｌ字形に折曲されており、組み付けられた際、その向きが前部側及び後部側を向くようにされている。この後部側に向けた取手７０Ａ，７１Ａが中間プレート６５の開口部６９に嵌合している。なお、上記リングパネル１１、中間プレート６５、マスク部材７０，７１、押え板２０及び保持板２２によってマスク手段が構成されている。
【００３９】
上記マスク部材７０，７１は、フレネルレンズ２４から照射された光が実質的に被照射体だけを照射するように、光源７からフレネルレンズ２４に照射される光を被照射体の形状に合せて限定する。すなわち、中間プレート６５に移動可能に設けた四方向のマスク部材７０，７１を適宜移動させることによって、中間プレート６５の光孔６８の前にマスク部材７０，７１による開口部を形成し、この開口部に光源からの光を通過させることによって被照射体だけを照射するようにしている。
【００４０】
図１、図２及び図５に示すように、中間プレート６５の光孔６８には角筒状のインテグレータ２５の前端部(光の出口)が嵌合、固着している。インテグレータ２５はリングパネル１１及び保持板２２の光孔２１を挿通して灯体部５３内を後方側に延設され、その軸線は光源７の軸線に一致している。インテグレータ２５は、内部に複数の反射鏡を設けて、入口から入った光を反射させながら出口側に到達させ光の強弱の差が少ない均斉度の高い光にするものである。
【００４１】
また、図１及び図６に示すように、灯体部５３の前部に固定された灯体フレーム６０のリングパネル１１の前部側には、前方向すなわち前カバー５４内に延びる円柱状のシャフト２６が四本突設されている。シャフト２６は上下左右の四個所に９０度間隔で取り付けられている。シャフト２６の中間部位は、図１に示すように、リング部材７４（図１）によって保持されており、シャフト２６の先端近傍には螺子部２６ａが刻設されている。この螺子部２６ａの部位にフレネルレンズ２４が装着される。
【００４２】
フレネルレンズ２４の外周部は、図７で示すように、多角形（角を切り欠いた略四角形）に形成されており、この角の部位を両側から金属製のリングフレーム７５で挟持している。リングフレーム７５の、フレネルレンズ２４が挟持されない四個所にはレンズスペーサ７６が介装されている。このようにリングフレーム７５及びレンズスペーサ７６を用いることによってレンズ２４の面に負荷がかからないようにしてレンズ２４を保護している。レンズスペーサ７６は、図８に示すような略長方形をしており、その湾曲凹部７７にはＯリング７８が装着されている。また、レンズスペーサ７６の中央にはシャフト用孔７９が設けられており、シャフト用穴７９からはシャフト２６の先端部が覗いている（図７）。
【００４３】
したがって、リングフレーム７５によって挟持されたフレネルレンズ２４を、図１に示すように、シャフト２６の先端部の螺子部２６ａに挿通させ、螺子部２６ａの、リングフレーム７５の前後に螺合させたナット８０を締め付けることによってフレネルレンズ２４が固定される。このナット８０を移動させてレンズ２４を移動させれば、レンズ２４の焦点を調整することができる。
【００４４】
また、フレネルレンズ２４及びインテグレータ２５の焦点を調節する場合は、図６に示すように、灯体フレーム６０のリングパネル１１と、中間プレート６５との間に、焦点調整スペーサ８１を差し込むようにする。焦点調整スペーサ８１を差し込むことにより、中間プレート６５をインテグレータ２５（図５）ごと前方に出すようにすれば、焦点を容易に調整することができる。したがって、シャフト２６に螺合しているナット８０を移動させて、リングフレーム７５と共に、フレネルレンズ２４を移動させて焦点をずらすよりも、現地での焦点の調整作業が容易になる。
【００４５】
また、図９乃至図１１に示すように、円筒状をした投光器５１の投光器本体５２は、コ字形の支持腕２７（図１２）に取り付けられて保持されている。すなわち、投光器本体２は、支持腕２７に形成したボルト孔８２に挿通させたボルト２８及びナット２９によって上下方向、回動可能に保持されている。これによって、投光器５１のレンズ２４の上下方向の傾きを調整することができる。
【００４６】
また、図１に示すように、投光器５１の灯体部５３の外周に凹部８３を形成し、この凹部８３に安定器(図示なし)を内蔵した安定器ボックス８４を嵌め込んで蝶ナット８５で固定している。本実施の形態においては、光源７の容量を１５０Ｗにしているので、安定器ボックス８４の形状を一辺が略３０ｃｍの立方体に形成することができ、灯体部５３に一体に組み付けることができる。図１において符号８６で示すものは前カバー５４の周上に設けたリブである。
【００４７】
次に、以上のように構成した投光器５１を所定位置に設置した場合の照射範囲の調整について説明する。まず、投光器５１から放射される光が被照射体を的確に照射しているかどうか、すなわち、放射光が被照射体の輪郭を越えて余分に広がっているか、または、被照射体の輪郭よりも小さく狭められて照射されているかどうか等を確認する必要がある。その際は、投光器本体５２の灯体部５３と後カバー５５とを組み付けている錠を解除して、蝶番１０を回動中心として後カバー５５を開口する。
【００４８】
すると投光器５１の後部より、図５に示すように、インテグレータ２５、中間プレート６５、マスク部材７０，７１の取手７０Ａ，７１Ａを目視することができる。また、図１に示すように、インテグレータ２５の略軸線上の部位（できればインテグレータ２５の後端部、すなわちインテグレータ２５の光の進入口近傍）に作業者の目を位置させれば、フレネルレンズ２４の焦点に結ぶ被照射体の像（倒置像）をインテグレータ２５を通して視認することができる。
【００４９】
そこで、インテグレータ２５の軸線上の被照射体を見ながら、マスク部材７０，７１の取手７０Ａ，７１Ａを把持して、マスク部材７０，７１を上下左右に移動させマスク部材による、被照射体に対する有効な開口部を形成する。この開口部を通して視認することができる被照射体の像が、光源７を点灯した際、フレネルレンズ２４を通した光によって照射される。
【００５０】
そして、被照射体に対する有効な開口部を形成した後、図１３に示すように、投光器５１の光源７を点灯すれば、光源７から放射された光(破線で示す)は、光源７の中心部位と、インテグレータ２５の入口部位とに焦点を合せた楕円面反射鏡８によって集束され、インテグレータ２５の入口より内部に到達する。また、楕円面反射鏡８から外れた光は、光源７の略中央付近に中心を持つ球面反射鏡９により集束されて光源７の中央付近に戻り、再度、楕円面反射鏡８よりインテグレータ２５に到達させる。これによって、光源７のもつ光の略８０％以上をインテグレータ２５に取り込み利用することができる。
【００５１】
次に、インテグレータ２５の内部に入った光は、軸線を通る光源７の直接光を除いて、ほとんどが複数枚の反射鏡によって、反射を繰り返し、インテグレータ２５の出口に到達する。インテグレータ２５の出口を出た光は、マスク手段のマスク部材７０，７１によって形成された有効開口部を通り、さらに、所定距離だけ離れた照射目標付近に結像させるフレネルレンズ２４を通って、被照射体に適正に照射される。このように照射される光はインテグレータ２５の出口の端面形状（すなわち、マスク部材７０、７１によって形成された有効開口部）の相似形の範囲内に限定され、しかも均斉度の高い光が被照射体に照射されることになる。
【００５２】
【発明の効果】
本発明は、以上説明したように構成された投光器であるから、請求項１に記載された発明によれば、灯体部の後部側に後カバーを開閉可能に組み付け、投光器本体の内部に設けたマスク手段を構成する中間プレートにマスク部材操作用の窓を設け、この窓に中間プレートの前部側に配置したマスク部材の取手を位置させたので、このマスク部材操作用の窓及び取手によって、投光器のマスク部材を中間プレートの後部側より上下左右に動かすことができるようになり、マスク部材によって形成される有効開口部を後部側より自由に調整することができる。
【００５３】
このようにマスク部材を後部側から操作できるようにすれば、被照射体もインテグレータの後部側から目視することができ、昼間、光源を点灯しなくても、被照射体をインテグレータによって確認しながら、マスク部材を動かして光の照射範囲を適正に調整することができる。また、安定器ボックスを投光器本体に配置したので、投光器の設置作業を簡単に行うことができる。
【００５４】
また、マスク部材の一辺に設けたマスク部材操作用の取手を互い違いに反対方向に折曲させ、この取手の一部を中間プレートに設けたマスク部材操作用の窓に嵌合させたので、マスク部材を投光器の後部から容易に操作調整することができる。
【００５５】
また、請求項２に記載された発明によれば、リングプレートと中間プレートとの間に焦点調整スペーサを介装させたので、中間プレートと一体のインテグレータを軸線上に移動させることができる。これによって、インテグレータの焦点を簡単に移動させることができる。したがって、フレネルレンズを移動させるよりも容易に焦点を調整することができる。
【図面の簡単な説明】
【図１】本発明の実施の形態を概略的に示した一部断面図である。
【図２】図１に示すＡ部の拡大図である。
【図３】本発明のマスク手段の斜視図である。
【図４】図３に示すマスク手段の分解斜視図である。
【図５】図３に示す中間プレートを右後方から見た斜視図である。
【図６】図３に示すものの一部を示し、中間プレートの角を切り欠いて示す斜視図である。
【図７】フレネルレンズを説明するための正面図である。
【図８】図７に示すレンズスペーサの正面図である。
【図９】本発明の投光器の側面図である。
【図１０】図９に示すものの左側面図である。
【図１１】図９に示すものの右側面図である。
【図１２】図９に示した支持腕の斜視図である。
【図１３】本発明の投光器の光の広がりを示す模式図である。
【図１４】従来の投光器の断面図である。
【図１５】図１４に示す投光器の左側面図である。
【図１６】図１４に示す投光器の右側面図である。
【図１７】従来のマスク部材の取り付けを示す斜視図である。
【図１８】図１７に示すマスク部材の分解斜視図である。
【図１９】図１７に示す中間プレートを右後方から見た斜視図である。
【図２０】従来使用している安定器ボックスの正面図である。
【符号の説明】
６    前面ガラス
７    光源
８    楕円面反射鏡
９    球面反射鏡
１１    リングパネル
２０    押え板
２２    保持板
２４    フレネルレンズ
２５    インテグレータ
５１    投光器
５２    投光器本体
５３    灯体部
５４    前カバー
５５    後カバー
６５    中間プレート
６８    光孔
６９    マスク部材操作用の窓
７０    マスク部材
７０Ａ  マスク部材操作用の取手
７１    マスク部材
７１Ａ  マスク部材操作用の取手
８１    焦点調整スペーサ
８３    凹部
【図１】
0004457333.tif 000002
【図２】
0004457333.tif 000003
【図３】
0004457333.tif 000004
【図４】
0004457333.tif 000005
【図５】
0004457333.tif 000006
【図６】
0004457333.tif 000007
【図７】
0004457333.tif 000008
【図８】
0004457333.tif 000009
【図９】
0004457333.tif 000010
【図１０】
0004457333.tif 000011
【図１１】
0004457333.tif 000012
【図１２】
0004457333.tif 000013
【図１３】
0004457333.tif 000014
【図１４】
0004457333.tif 000015
【図１５】
0004457333.tif 000016
【図１６】
0004457333.tif 000017
【図１７】
0004457333.tif 000018
【図１８】
0004457333.tif 000019
【図１９】
0004457333.tif 000020
【図２０】
0004457333.tif 000021